(57)【要約】      （修正有）【課題】香りやマイナスイオン発生の機能を、別個に装置や用具等を用意することなく、抵抗感なく身に着けるだけで実現させる機能性アクセサリーを提供する。【解決手段】アクセサリーは、該成形物の内部構造が無数の微細貫通孔を有する全体的多孔質構造となっており、かつ非微細貫通孔部である骨格部２にはβ線放出性鉱物粒子２ａを混在させるとともに、該微細貫通孔内には揮発性香材３を充填させる。必要に応じ適宜箇所に揮発性香材３の注入孔を有し身体近辺に設置できるような形態にする。【選択図】図３
0003225290.tif 000002
【実用新案登録請求の範囲】
【請求項１】
身体装飾用の立体成形物アクセサリー類において、該成形物の内部構造が無数の微細貫通孔を有する全体的多孔質構造となっており、かつ非微細貫通孔部である骨格部にはβ線放出性鉱物粒子を混在させるとともに、該微細貫通孔内には揮発性香材を充填させてなることを特徴とする機能性アクセサリー。
【請求項２】
立体成形物アクセサリー類が、適宜箇所に機能性香材の注入孔を有し身体近辺に設置できる形態である請求項１記載の機能性アクセサリー。
【考案の詳細な説明】
【技術分野】
【０００１】この考案は、装飾以外の機能性を有する身体装着ないし近辺設置用アクセサリーに関する。
【背景技術】
【０００２】一般に身体に装着するアクセサリー類としては、ネックレス、ペンダント、ブレスレット、アンクレット、イヤニング、ピアス、指輪、タイピン等、甚だ多岐多様にわたるが、それらはいずれも装飾を目的として製作、使用されてきた。【０００３】一方、身の回り環境を改善することにより、健康、癒し、快適感などを向上させるための様々な工夫もなされており、広義には空調機や空気清浄器等もそうであるが、例えばアロマセラピーと称する各種の香りが人の心身に好影響を与えることを狙った香り発生グッズも各種見受けられる。【０００４】更に、いわゆるマイナスイオンが心身の健康衛生面で好ましいものであることは既に様々な医学的エビデンスも得られており、その原理的機能は諸悪の根源である酸化障害の元である活性酸素の消去・抑制にあるとも言われているから、マイナスイオン発生器のような電気装置等も既に存在する。
【考案の開示】
【考案が解決しようとする課題】
【０００５】上記のような既製の香りグッズやマイナスイオン発生器などは、何れも独立した大掛かりなものになりがちで、身体のごく身近において常時、継続的に作用させることは困難であった。そのため長続きせず、効果も甚だ限定的であった。【０００６】本考案はかかる現状から、別個に身の回り空間を快適化する装置や用具等を用意することなく、従来より身に着けているアクセサリー類においてこれを実現することを課題とする。
【課題を解決するための手段】
【０００７】身体装飾用の立体成形物アクセサリー類Ａにおいて、該成形物の内部構造が無数の微細貫通孔１を有する全体的多孔質構造となっており、かつ非微細貫通孔部である骨格部２にはβ線放出性鉱物粒子２ａを混在させるとともに、該微細貫通孔１内には揮発性香材３を充填させて、本考案の機能性アクセサリーとする。【０００８】またその立体成形物アクセサリー類Ａにおいて、必要に応じ適宜箇所に機能性香材３の注入孔Ａａを有し身体近辺に設置できるような形態にしてもよい。【０００９】ここで言う微細貫通孔１とは、例えばゼオライト（沸石）の名で知られる結晶性アルミノケイ酸塩のように、無数の微細な貫通孔が内部形成されている多孔質構造体特有のものであり、毛細管現象による液体吸入作用とこれを適宜長時間安定的に保持する機能を有するものである。そして本考案に使用される立体成形物は独特のノウハウ技術によるアクセサリー類Ａとして使用されるに相応しい美観や耐久性に優れたセラミックス成型物に仕上げることができる。【００１０】またその非微細貫通孔部にあたる部分が骨格部２に相当するわけだが、その中に微細貫通孔１を保持したままβ線放出性鉱物粒子２ａを混在させることも、技術的ノウハウの駆使により十分可能である。【００１１】このβ線放出性鉱物粒子２ａとは、例えばラジウム温泉等にみられるように、ラジウムやある種の稀土類元素を含む鉱物は、その原子崩壊に伴って少しずつβ線などを放出し、物質をイオン化させるエネルギーをもつが、なかでもβ線はマイナス電荷の電子の放出であることから、近辺空気にマイナスイオンを生成させることは確認されており、その他許容基準値以下の微量放射線はいわゆるホルミシス効果等も期待される。【００１２】本考案におけるベータ線放出性鉱物粒子２ａの混在度合いは、市販のマイナスイオン測定器（カウンター）により例えば数百以上など、明らかに優位な差別が認められかつ公的に定められた安全基準数値以下であることが必須である。【００１３】微細貫通孔１内に充填させる揮発性香材３は、アロマセラピー又はアロマテラピーにおけるアロマオイル又はエッセンシャルオイル（精油）と同等同類のものであるが広義のものであり、いわゆる森林浴成分であるフィトンチッド等も含まれるものとする。その種類は多岐にわたり、例えばジャスミン、ラベンダー、ヒノキオイル、カモミール、ゼラニウム、レモン、ローズ、ペパーミント、その他の多数において、それぞれに特有の精神的、身体的な効果・効能の実証データが既に数多く報告されている。【００１４】なお、アクセサリー類には鎖やリング等の付属部品を伴っているのが通例であるが、これらをも含め、その材料に超遠赤外線のテラヘルツ領域での共鳴作用が期待される通称テラヘルツ鉱物を用いることは任意である。
【考案の効果】
【００１５】本考案によれば、前記のようなアクセサリー類は長時間にわたり抵抗感なく身体に装着されるものであるから、身の回りの空間環境をマイナスイオンリッチなものにしたり、個々の好みや要望に応じた香りを一切の手作業を要することなく持続的に享受でき、またこれらが自身を飾るという気分も含め、相乗的に身体や精神に対して好ましい影響を与える効果がある。
【考案を実施するための形態】
【００１６】ネックレス用ペンダントトップ部に取り付ける立体成形物アクセサリー類Ａとして、ゼオライト及び基準値以下のβ線放出性鉱物粒子２ａを独自のアルミナ系材料中に混合してこれを縦約２０ｍｍ、横約１５ｍｍ、厚さ約２ｍｍの薔薇の立体模様付き立体物に仮成型して後、約１２５０℃で磁器焼成する。これは内部に太さ約０．１ｍｍの堅牢な微細貫通孔１を無数に保持（図２）するものであり、これに例えばローズのような揮発性香材３を塗布、浸漬すると速やかに毛細管現象により該微細貫通孔１内に侵入してそこを満たす（図３）。その立体物の外面は耐摩耗性、耐久性に富んでいるから、長期にわたり表面は乾燥状態のまま徐々に香成分を外方に放出する。また試作品ではマイナスイオン値１２００が検出された。
【００１７】なお本考案は上記例に限定されるものではなく、形状や寸法はそれぞれ異なるものの、ブレスレット、アンクレット、イヤリング、指輪等、多岐にわたるが、同じ要領で実現できる。また図４に例示したような、時には身近な机上等に載置して後上部等に補充用揮発性香材３の注入孔Ａａを設けたようなものも本考案に含まれるものとする。
【産業上の利用可能性】
【００１８】本考案の機能性アクセサリーはニーズも多く、量産も可能であるので、産業上の利用可能性は十分にあるといえる。
【図面の簡単な説明】
【００１９】
【図１】本考案一例の見取図
【図２】本考案一例の前段階における拡大断面図
【図３】本考案一例の後段階における拡大断面図
【図４】本考案別例の見取図
【符号の説明】
【００２０】Ａ……立体成形物アクセサリー類
１……微細貫通孔
２……骨格部
２ａ……β線放出性鉱物粒子
３……揮発性香材
Ａａ……注入孔
【図１】
0003225290.tif 000003
【図２】
0003225290.tif 000004
【図３】
0003225290.tif 000005
【図４】
0003225290.tif 000006